Podtech/llm-jp-corpus-v4-ja_patent huggingface dataset:
(57)【要約】      （修正有）【課題】出入り口の防犯防虫と通風換気、訪問者の全容確認を容易にし、防犯防止をする防犯ウインドアを提供する。【解決手段】防犯ウインドア本体に窓枠を中央に設け、その窓枠内に防犯網戸を備え、その外側は強化アルミや適宜素材の格子状等で内側の防虫網を備え一体にして、両端を窓枠とヒンジ５で接続し、観音内開きに開閉し、閉めるとスプリングピン６がレ−ルガイド７の滑らかさで自動ロックする。ウインドア本体内側に、プラスチック、またはガラス戸の２枚を左右にスライド開閉させ通風換気をすることにより、防虫し、防犯ウインドアを開けることなく、訪問者の全容が確認でき小荷物等の受け渡しができ防犯防止に役立つ。【選択図】図２
0003150219.tif 000002
【実用新案登録請求の範囲】
【請求項１】
ドア中央に窓枠を設け、窓枠内の外側は２枚の防犯格子で内側の防虫網と一体にした防犯網戸を観音内開きに設けるとともに、その内側にガラス引戸２枚を左右に開閉自在にした３層構造に設けたウインドア本体は、ドアロックしたまま訪問者の全容確認はもとより、内側のガラス戸を開け防犯防虫と通風換気が自在になり、防犯網戸を手前に開け郵便や宅配小物等の受け渡しが容易にできるようにしたところを特徴とする玄関、出入り口の防犯ウインドア。
【考案の詳細な説明】
【技術分野】
【０００１】  本考案は、玄関出入口のドアに窓枠と防犯格子と網戸、ガラス戸を設けた、防犯ウインドアに関するものである。
【背景技術】
【０００２】  玄関や出入口のドアを閉めると通風換気はできない、防犯上ドアチエ−ンの範囲内に開け換気していた、また、訪問者や郵便、宅配便にその都度ドアを開放し、防犯上の危険があった。
【考案の開示】
【考案が解決しようとする課題】
【０００３】  従来のドアチエ−ンを使った通風換気は防虫ができず夏季に使用できない、また訪問者の全容の確認が困難で労働的負担であり、郵便や宅配便等の受け渡し時にドアを開放するので防犯上の危険があった。従って、防犯ウインドア中央に防犯格子と防虫網を備え、その内側にガラス戸を儲け、その機能を一体化することにより訪問者の全容確認が容易になり、ガラス戸を開け通風換気が自在となり、防犯網戸を開放し郵便や宅配便の受け渡しも可能になり前述の欠点を解決しようとするものである。
【課題を解決するための手段】
【０００４】  本考案は防犯ウインドア中央に小荷物を出し入れする防犯網戸の窓枠を設け、窓枠内の防犯格子の内側に防虫網を張り一体にした防犯網戸を内側の観音開きに設け、さらに、その内側にガラス引戸を左右に開閉自在に設け、訪問者の確認を容易にし、防犯と防虫効果と通風換気を可能にする、防犯網戸は、郵便や小荷物の受け渡しを可能にし、前述の欠点を解決している。
【考案の効果】
【０００５】上述の様に、本考案の玄関、出入り口の防犯ウインドアは通常ドアとして使用できることは勿論、防犯ウインドア中央に防犯網戸を設けているのでロックしたまま内側のガラス戸を開放し夏季にも防犯と防虫、通風換気の効果が得られる。しかも訪問者の全容はしっかり確認でき、防犯ウインドアを開放せずに郵便や小荷物の受け渡しができることにより防犯防止として役立つ。
【考案の実施するための最良の形態】
【０００６】  防犯ウインドア中央に組み込んだ窓枠内の外側は、防犯用の強化アルミ材や金属枠をア−チ型や格子状に設け、その内側の防虫網と一体にした防犯網戸を左右に２枚揃え、その両端を窓枠にヒンジで接続し、観音内開きにして郵便や宅配小荷物の受け渡しができるようにし、防犯網戸を閉めるとスプリングピンとガイドレ−ルで自動ロックし鍵の閉忘れを防ぐ、内側のプラスチック、または、ガラス戸は内側から見えるが外部から見えない構造で左右の２枚が引戸式に開閉する、防犯ウインドア本体をロックしたまま訪問者の全容確認が容易で、防犯防虫、小荷物の受け渡しが自在となる。
【実施例】
【０００７】  以下、添付図面に従って一実施例を説明する。１は防犯耐久性のあるアルミ等の適宜素材を使用した防犯ウインドア本体、２は中央に設けた窓枠、窓枠内は防虫網と一体にした４の防犯網戸２枚を設け、その内側に３のガラス引戸２枚が左右にスライドする、郵便や宅配小荷物類はガラス引戸を開け、４の防犯網戸を内側へ開け受け渡しする、５はヒンジで防犯網戸の両端を窓枠と接続して観音内開きにする、防犯網戸を閉め５のスプリングピンで自動ロックする。【０００８】  防犯網戸の開閉接続ヒンジはスプリング式で全開時に軽く閉めると５のスプリングピンが６のレ−ルガイドにより自動ロックする、鍵のかけ忘れがなく防犯防止する。【０００９】  本考案の一実施例は上述の如き構成からなるものであるから、防犯ウインドア本体１を通常の玄関や出入り口ドアとして使用できることは勿論であるが、外側からは室内が見えないガラス戸も使用でき防犯度を高めている。
【図面の簡単な説明】
【００１０】
【図１】  本考案のウインドア本体の一実施例を示す正面図である。
【図２】  本ウインドア本体内側の一実施例を示す正面図である。
【符号の説明】
【００１１】    １  防犯ウインドア本体
２  窓枠
３  ガラス戸
４  防犯網戸
５  ヒンジ
６  スプリングピン
７  ガイドレ−ル
【図１】
0003150219.tif 000003
【図２】
0003150219.tif 000004
【手続補正書】
【提出日】平成21年2月5日(2009.2.5)
【手続補正１】
【補正対象書類名】実用新案登録請求の範囲
【補正対象項目名】全文
【補正方法】変更
【補正の内容】
【実用新案登録請求の範囲】
【請求項１】
玄関、出入口ドアの中央部を開口し窓枠を設け、窓枠内の屋外側は、２枚の防犯格子であって、内側に防虫網を一体に設けて構成された防犯網戸を観音内開きに設けるとともに、ドア屋内側でガラス引戸の２枚が左右に開閉自在で、２層構造のウインド一体型ドア本体として、ドアをロックしたまま訪問者の全容確認が容易で、ガラス引戸を開ければ防犯はもとより防虫と通風換気が自在となり、更に、防犯網戸を屋内側に観音開きにし郵便や宅配小物等の受け渡しが、安全で容易にできるようにしたところを特徴とする、玄関、出入口の防犯ウインド一体型ドア。
(57)【要約】      （修正有）【課題】拭き掃除の際に、雑巾の使用済みの汚れた面を、誤って繰り返し使用することを防ぐ雑巾を提供する。【解決手段】四つ折りにした状態の雑巾の表裏の各面１に、数字２を１から８まで順番に設け、それらの数字２をつなぐ矢印３を設けたことを特徴とする。拭き掃除のとき、雑巾の１番の面から使用し、面が汚れたら矢印に従い、２番の面、３番の面と数字に従って順番に新しい面を開いて使用していく。使用済みの面と、未使用の面を間違うことがないため、常にきれいな雑巾面を使った掃除ができる。また、最後の８番の雑巾面まで全て使い切ってから雑巾を洗えばよいので、効率的で経済的な拭き掃除が可能となる。【選択図】図１
0003150218.tif 000002
【実用新案登録請求の範囲】
【請求項１】
（イ）雑巾を四つ折りにした際の表裏各面に、１番から８番までの数字とそれらの番号を順番に結ぶ矢印を設ける。
以上の構成よりなる番号付き雑巾。
【考案の詳細な説明】
【技術分野】
【０００１】本考案は、四つ折りにした際の表裏各面に数字を表記した雑巾に関するものである。
【背景技術】
【０００２】従来、雑巾を使用した拭き掃除では、一度使用し汚れた雑巾面を、誤って繰り返し使用してしまうことがあった。
【考案の開示】
【考案が解決しようとする課題】
【０００３】従来、雑巾を四つ折りにして各面を使って拭き掃除する際、誤って一度使用した汚い面を再度使い、せっかく掃除した部分を汚してしまう、という欠点があった。
本考案は、以上のような欠点をなくすためになされたものである。
【課題を解決するための手段】
【０００４】本考案は、雑巾（１）の四つ折りにした際の表面、裏面、全てに数字（２）を設け、それらを順番につなぐ矢印（３）を設ける。
本考案は、以上の構成よりなる雑巾である。
【考案の効果】
【０００５】（イ）雑巾の表裏各面に記された数字に従って順番に雑巾面を使用していくだけで、使用済みの汚れた面を誤って二度使うことが避けられる。雑巾の面が汚れたら、矢印に従い次の数字の面を開くと、常にきれいな雑巾面を使って拭き掃除ができる。
（ロ）四つ折りした雑巾の裏表、八面全てを使ってから、雑巾を洗えばよいので、効率的で経済的な拭き掃除ができる。
【実用新案を実施するための最良の形態】
【０００６】以下、本考案を実施するための最良の形態について説明する。
雑巾（１）の四つ折りにした状態の表裏各面に、数字（２）を１から８まで順番に設ける。またそれらの数字（２）をつなぐ矢印（３）を設ける。
本考案は、以上の構成でこれを使用するときは、１番の面から順序に使用し、その面が汚れたら次の番号の面に進み、順番に使っていく。これにより使用済みの汚れた面を繰り返し使うことなく、雑巾の表裏全部の面を使い切ることができる。
【図面の簡単な説明】
【０００７】
【図１】  本考案の平面図である。
【図２】  本考案の裏面の平面図である。
【符号の説明】
【０００８】  １    雑巾面
２    数字
３    矢印
【図１】
0003150218.tif 000003
【図２】
0003150218.tif 000004
【手続補正書】
【提出日】平成21年2月3日(2009.2.3)
【手続補正１】
【補正対象書類名】実用新案登録請求の範囲
【補正対象項目名】全文
【補正方法】変更
【補正の内容】
【実用新案登録請求の範囲】
【請求項１】
雑巾を四つ折りにした際の表裏各面に、１番から８番までの数字とそれらの番号を順番に結ぶ矢印を設けた構成よりなる番号付き雑巾。
(57)【要約】      （修正有）【課題】モーターと発電機を同軸にすることにより回転初電流の供給後は、自家発電の電力を使い回転し、回転軸を空洞にすることにより、いろいろな用途に使うことが出来る多目的発電付モーターを提供する。【解決手段】モーターと発電機の軸を一本にすることによってエネルギーの分散を防ぎ、また駆動軸内にファンを設けることによってモーター及び発電機内より発生する熱を冷やす事が出来き、モーターが回転する事によって同軸の発電機も回転し発電する。その電気を変圧器、充電器を通してバッテリーにつなぐ事によりバッテリーの逐電量の消耗を軽減できる事によりバッテリーの大きさも小さくすることが出来、駆動軸内のファンの形状をスクリュウにすれば、水中での推進力になり、タービンにすれば空気中の推進力を得られるようにして、多目的発電付モーターを構成する。【選択図】図１
0003150215.tif 000002
【実用新案登録請求の範囲】
【請求項１】
モーターと発電機の軸を一本にすることによってエネルギーの分散を防ぎ、また駆動軸内にファンを設けることによってモーター及び発電機内より発生する熱を冷やす事が出来る。モーターが回転する事によって同軸の発電機も回転し電気を発電する。その電気を変圧器、充電器を通してバッテリーにつなぐ事によりバッテリーの逐電量の消耗を軽減できる事によりバッテリーの大きさも小さくすることが出来る。駆動軸内のファンの形状をスクリュウにすれば、水中での推進力になり、タービンにすれば空気中の推進力を得ることになる。
【考案の詳細な説明】
【技術分野】
【０００１】    本考案は、駆動力を使う機械、電気自動車、軌道車両、船舶、航空機、などの駆動力に使うことにより、軽量化、エネルギーの循環による低燃費化、環境保全に役立つ物である。
【背景技術】
【０００２】    モーターと発電機を同軸に設置することにより力の分散を防ぎ、発電した電気をモーターに供給する事によりエネルギーの循環が行われる。また回転軸を空洞にしその中にいろいろなファン等を設けることにより冷却、直接的推進力も得られる。
【考案の開示】
【考案が解決しようとする課題】
【０００３】    一般のモーターは回転するためには、電力を消費続けなくては回転し続けない。
【課題を解決するための手段】
【０００４】    これに対し、回転初電流を供給しモーターが回転することにより同軸の発電機より電力が供給される事によってエネルギーの循環が出来る。
【考案の効果】
【０００５】    本考案は、モーターと発電機を同軸にすることにより回転エネルギーの分散を防ぎ尚且つ回転初電流の供給後は、自家発電の電力を使うことにより供給電気量の低減化が出来る。また回転軸を空洞にすることにより、内部にファン、スクリュウ、タービン等を設置することにより、冷却、直接推進力等得ることが出来る。
【考案を実施するための最良の形態】
【０００６】    本考案の最良の形態を図面で示す。
【産業上の利用可能性】
【０００７】    駆動力を必要とする、機械、電気自動車、軌道車両、船舶、航空機等の駆動力に使う、既存化石燃料を消費して動くエンジンに変わるものである。
【図面の簡単な説明】
【０００８】
【図１】モーター及び発電機の横断面図
【図２】モーター及び発電機の縦断面図
【図１】
0003150215.tif 000003
【図２】
0003150215.tif 000004
【手続補正書】
【提出日】平成21年2月5日(2009.2.5)
【手続補正１】
【補正対象書類名】実用新案登録請求の範囲
【補正対象項目名】全文
【補正方法】変更
【補正の内容】
【実用新案登録請求の範囲】
【請求項１】
モーターと発電機の軸を一本にすることによってエネルギーの分散を防ぎ、また駆動軸内にファンを設けることによってモーター及び発電機内より発生する熱を冷やす事が出来き、モーターが回転する事によって同軸の発電機も回転し電気を発電し、その電気を変圧器、充電器を通してバッテリーにつなぐ事によりバッテリーの逐電量の消耗を軽減できる事によりバッテリーの大きさも小さくすることが出来き、駆動軸内のファンの形状をスクリュウにすれば、水中での推進力になり、タービンにすれば空気中の推進力を得られる多目的発電付モーター。
(57)【要約】      （修正有）【課題】使わない時は収納して広いスペースを確保できる水切りを提供する。【解決手段】三角コーナーの代わりに流し台ふちに沿って取り付けたパイプ３に通した２本のスライドするバー４，５を取り付けネット６をはさんだ水切りを使う時だけバー４をスライドさせスペースをとらないようにした。【選択図】図１
0003150217.tif 000002
【実用新案登録請求の範囲】
【請求項１】
流し台のふちに４つの吸盤で固定したアルミパイプに２本のバーを通し、このバーに専用のネットをはさんでスライドさせる事ができるようにした水切り。
【考案の詳細な説明】
【技術分野】
【０００１】本考案は流し台の水切りに関する。
【技術背景】
【０００２】従来の水切りは三角コーナーが一般的だった。
【考案の開示】
【考案が解決しようとする課題】
【０００３】しかし三角コーナーを置くと流し台のスペースが限定されてしまい洗い物がしにくい欠点と三角コーナー本体にヌメリが発生し不衛生であった。
【課題を解決するための手段】
【０００４】そこで三角コーナーを使わずに流し台ふちに取り付けた２本のアルミレールにバー２本を取り付けこのバーに専用のネットをはさんだ水切りを考案。（図２）
【考案の効果】
【０００５】この水切りにより使わない時はバーをスライドさせて閉じておく事により広いスペースを確保できるようになった。（図１）
又、専用ネット（６）に生ごみ等がたまったらバーａ，ｂを持ち上げて新しいネットと交換できるようにした。（図３）
【考案を実施するための最良の形態】
【０００６】本考案によるスライド式水切り（９）は図１に示すように２本のアルミパイプ部３とそれを通す２本のバー４，５を備えている。そしてこのバーにネット部６を挟む事により水切りの役割を果たすものである。（図３）
【図面の簡単な説明】
【０００７】
【図１】本考案によるスライド式水切りを流し台上部に閉じて取り付けた状態である。
【図２】スライド式水切りを開いた状態である。
【図３】ネットを取り外す、または取り付けるためにバーの上部を持ち上げた状態である。
【図４】専用のネットの形状である。
【図５】スライド式水切りの断面図である。
【符号の説明】
【０００８】１  流し台
２  吸盤
３  アルミパイプ
４  バーａ
５  バーｂ
６  専用ネット
７  つまみ
８  取っ手
９  スライド式水切り本体
【図１】
0003150217.tif 000003
【図２】
0003150217.tif 000004
【図３】
0003150217.tif 000005
【図４】
0003150217.tif 000006
【図５】
0003150217.tif 000007
(57)【要約】      （修正有）【課題】木造住宅の堅牢さ及び耐久性向上の推進を追求をする為、躯体構造材の剛性を高め、筋交いの定着度の向上を図った筋交受け金具付き柱脚金物を提供する。【解決手段】木造住宅建築に際し、木柱の柱脚部位及び柱頭部位を金属板で囲う事で木材の腐れ・変形・割れ等による木材及び躯体の剛性強度低下を防ぎ、尚筋交いの取付けを確実なものとする、木柱が差し込まれる上部が、木柱断面寸法に見合う開口を有する金属製角筒の外側面に、羽根状又は板状の筋交い受けとなる金具を設け、前記金属製角筒の開口部の反対側に木柱のほぞが差込まれる金属製ほぞ孔型を設けてなる。【選択図】図１
0003150216.tif 000002
【実用新案登録請求の範囲】
【請求項１】
木造住宅建築にあたり、木柱の柱脚部位及び柱頭部位を金属板で囲うことで木材の腐れ、変形等の木材の剛性強度低下を防ぎ、尚筋交いの取り付きを確実なものとする事のできる筋交受け金具付き柱脚金物。
【考案の詳細な説明】
【技術分野】
【０００１】本考案は、木造建築物の木軸工法に関するものである。
【背景技術】
【０００２】木造住宅構築方法の内、土台及び柱においては離脱防止策及び腐れ防止薬品は講じられているが完全といえず又、柱と交わる胴差し、桁、筋交い等においては取り付き部位の強度保全、保持などに関して改善が進んでいないのが現状である。
【考案の開示】
【考案が解決しようとする課題】
【０００３】木造住宅の土台と柱、柱と胴差し及び桁、梁、筋交いの定着に関わる躯体構造材の剛性強度の維持及び経年による木質材の劣化、変化による建築物全体の強度低下を防ぐ事が課題である。
【課題を解決するための手段】
【０００４】木造住宅で垂設する躯体構造材である木柱の、柱脚部位および柱頭部位を柱脚金物で囲うことで柱に剛性を持たせ、更に筋交い受け金具となる釘穴を空けた平板状又は羽根状の金具を柱脚金物に、筋交いが取り付く必要方向に溶接され固着する筋交受け金具付き柱脚金物を用いることが手段である。
又、筋交いを要しない柱に於いては、柱脚金物のみを柱脚部位及び柱頭部位に連用するものである。
【考案の効果】
【０００５】以下の様な効果を有するものである。
１、柱脚金物は収縮変形が無く、金属の種類及び処置方法により長期使用が可能である。
２、柱脚金物は木柱の腐れ防止及び剛性強度の低下を防ぐことができる。
３、柱脚金物は地震による木柱の土台との離脱防止効果が大きい。
４、柱脚金物は建築物各階の木柱の、根元部位及び頭部位に用いることができる。
５、筋交受け金具は柱脚金物に溶接で固着されるので剥離等が無く、筋交いの安全、安定に繋がる。
【実施例】
【０００６】以下、図面に示す実施例に従い本考案の実施態様について説明する。
図１  住宅設計図書の柱位置図における建築物の辺長部位に建つ、筋交い９の二方向
0003150216.tif 000003
脚金物１である、又筋交い９を要しない柱においては筋交受け金具２の付帯しない柱脚金物１を用いる。
図２  柱位置図において建築物の角の部位に建つ、筋交い９の二方向を要す木柱７の
0003150216.tif 000004
図３  柱位置図において建築物の辺がＴ字型に交差する部位に建つ、筋交い９の三方
0003150216.tif 000005
柱脚金物１。
図４  柱位置図において建築物の辺が十字型に交差する部位に建つ、筋交い９の四方
0003150216.tif 000006
柱脚金物１。
図５  筋交受け金具２付き柱脚金物１の下向き状態を示しており木柱頭部に用い、木柱の差込後釘孔８を介して釘又はビスを打ち込み固着させる。
0003150216.tif 000007
図６  筋交受け金具２付き柱脚金物１の上向き状態で柱脚部に用い、木柱の差込後釘
0003150216.tif 000008
他方向の形状を示す。
0003150216.tif 000009
め込む土台６を示し、尚横架材４及び、筋交受け金具２に取り付く筋交い９の状態を示している。又、柱頭部において筋交受け金具２付き柱脚金物１が下向
0003150216.tif 000010
に向かう筋交い９及び横架材４を示す。
0003150216.tif 000011
斜視図及び、合致の方向を示す。
【図面の簡単な説明】
【０００７】
【図１】筋交受け金具付き柱脚金物、Ｉ型を示す。
【図２】同上、Ｌ型を示す。
【図３】同上、Ｔ型を示す。
【図４】同上、十字型を示す。
【図５】同上、下向き状態を示す。
【図６】同上、上向き状態を示す。
【図７】筋交受け金具付き柱脚金物と筋交い及び、他の構造材との取り付き状態を示す。
【図８】柱下部の筋交受け金具付き柱脚金物及び木柱の仕口加工形状を示す。
【符号の説明】
【０００８】１  柱脚金物及び筋交受け金具付き柱脚金物。
２  筋交受け金具。
0003150216.tif 000012
４  横架材。
５  胴差し又は桁。
６  土台。
７  木柱。
８  釘又はビス孔。
９  筋交い。
【図１】
0003150216.tif 000013
【図２】
0003150216.tif 000014
【図３】
0003150216.tif 000015
【図４】
0003150216.tif 000016
【図５】
0003150216.tif 000017
【図６】
0003150216.tif 000018
【図７】
0003150216.tif 000019
【図８】
0003150216.tif 000020
【手続補正書】
【提出日】平成21年1月27日(2009.1.27)
【手続補正１】
【補正対象書類名】実用新案登録請求の範囲
【補正対象項目名】全文
【補正方法】変更
【補正の内容】
【実用新案登録請求の範囲】
【請求項１】
木造住宅建築に際し、木柱の柱脚部位及び柱頭部位を金属板で囲う事で木材の腐れ・変形・割れ等による木材及び躯体の剛性強度低下を防ぎ、尚筋交いの取付けを確実なものとする、木柱が差し込まれる上部が、木柱断面寸法に見合う開口を有する金属製角筒の外側面に、羽根状又は板状の筋交い受けとなる金具を設け、前記金属製角筒の開口部の反対側に木柱のほぞが差込まれる金属製ほぞ孔型を設けてなる、筋交い受け金具付き柱脚及び柱頭金物。
(57)【要約】      （修正有）【課題】風で落ちることなく、また、洗濯物が重くても物干し竿からはずれる可能性も少ないハンガーを提供する。【解決手段】ハンガーのフックを環状に形成する。物干し竿５の片方の端を竿掛け６から外し、そのあとハンガーの環３を、物干し竿５を外した端から通して物干し竿５にはめる。はめ終わったら、外した物干し竿５の端を竿掛け６に戻す。室内で使用する時は、ハンガーの環３の上部にもう一つ鉤を設置し使用しても良い。【選択図】図５
0003150239.tif 000002
【実用新案登録請求の範囲】
【請求項１】
掛ける部分に環（図中の３、４）を設置したハンガー。
【請求項２】
掛ける部分が環と鉤（図中の３および７）であるハンガー。
【請求項３】
掛ける部分が環（図中の３、４）である、請求項１記載のハンガー。
【請求項４】
環（図中の３、４）の上部に鉤（図中の７）を設置した、請求項１記載のハンガー。
【考案の詳細な説明】
【技術分野】
【０００１】  本考案は、ハンガーに関するものである。
【背景技術】
【０００２】  従来型ハンガーのフックには、２種類ある。鉤状のものと、鎖状のものである。
【考案の開示】
【考案が解決しようとする課題】
【０００３】  鉤状のフックが付いた従来型ハンガーは、風で落ちやすい。鎖状のフックが付いた従来型ハンガーは、ハンガーに掛けられた洗濯物が比較的重い場合、ハンガーの鎖が物干し竿からはずれて落下することがある。【０００４】  本考案は、従来型ハンガーのフックに存在する問題を、解決することができる。
【課題を解決するための手段】
【０００５】  本考案は、上記の目的を達成するため、ハンガーのフックを環状にする。
【考案の効果】
【０００６】  本考案のハンガーを物干し竿に掛けたあとは、どんなに風が強かろうと、決して落ちることはない。【０００７】  また、本考案のハンガーは、洗濯物の重量が増しても、耐えることができる。
【考案を実施するための最良の形態】
【０００８】  実施例１では、ハンガーのフックを環状にする。【０００９】  実施例２では、実施例１のハンガーの環の上部に、もう一つ鉤を設置する。ハンガーを屋外の物干し竿に掛ける場合は、環を使用する。ハンガーを室内に掛ける場合は、状況に応じて、鉤または環を使用する。【００１０】  本考案の風が吹いても落ちないハンガーを使用する際は、まず物干し竿の片方の端を竿掛けから外し、そのあと本考案の風が吹いても落ちないハンガーの環を、物干し竿を外した端から通して竿にはめる。はめ終わったら、外した物干し竿の端を竿掛けに戻す。【００１１】  図１から図５に沿って説明する。１は鉤である。２は鎖である。３は環である。４は環である。５は物干し竿である。６は竿掛けである。従来型ハンガーのフックは、鉤１あるいは鎖２である。また、本考案の実施例における、風が吹いても落ちないハンガーの掛ける部分は、環３、４である。【００１２】  本考案の風が吹いても落ちないハンガーを物干し竿に掛ける方法は、以下の通りである。【００１３】  まず、物干し竿５の片方の端を竿掛け６から外し、そのあと本考案の風が吹いても落ちないハンガーの環３、４を、物干し竿５を外した端から通して物干し竿５にはめる。はめ終わったら、外した物干し竿５の端を竿掛け６に戻す。
【実施例２】
【００１４】  図６に沿って説明する。７は鉤である。本考案の実施例１における、風が吹いても落ちないハンガーの環３、４の上部に、もう一つ鉤７を設置する。
【図面の簡単な説明】
【００１５】
【図１】フックが鉤状になっている従来型ハンガー
【図２】フックが鎖状になっている従来型ハンガー
【図３】本考案の実施例１における、風が吹いても落ちないハンガーの略図
【図４】本考案の実施例１における、風が吹いても落ちないハンガーの略図
【図５】物干し竿に掛けられた、本考案の風が吹いても落ちないハンガーの略図
【図６】本考案の実施例２における、風が吹いても落ちないハンガーの略図
【符号の説明】
【００１６】１  鉤
２  鎖
３  環
４  環
５  物干し竿
６  竿掛け
７  鉤
【図１】
0003150239.tif 000003
【図２】
0003150239.tif 000004
【図３】
0003150239.tif 000005
【図４】
0003150239.tif 000006
【図５】
0003150239.tif 000007
【図６】
0003150239.tif 000008
(57)【要約】      （修正有）【課題】畜光材による照度とそれを補う電気照明の組み合わせで、総合省エネルギーとメンテナンスフリーを長期に渡り実現できる表示システムを提供する。【解決手段】パネルや太陽光発電パネル１に畜光材２で文字等を書く事により、照度のある昼間には通常の看板の様に視認させ、夜間や照度が落ちた時には畜光材として光らせて、視認させる。更に、端部に照明を付けたレーザーカットや塗装で畜光材に光が当たる様にした透明な導光板３をパネルの上に積層して、畜光材の照度が落ちて来た時に点灯して、畜光させて、再度、畜光材の明るさを保持すると共に、点灯時間を短くして、畜光照度を利用して省エネルギーを行う。また、点灯に利用する電気は太陽光発電パネルで発電したものを蓄電装置６に充電しておいて使う。【選択図】図３
0003150233.tif 000002
【実用新案登録請求の範囲】
【請求項１】
太陽光発電パネル表面に蓄光材を付着させた表示システム。
【請求項２】
光屈折部のある透過性導光板に畜光材を付着させた表示システム
【請求項３】
畜光材を太陽光発電パネル表面と光屈折部のある透過性導光板で挟み込んだ表示システム。
【請求項４】
畜光材を太陽光発電パネル表面と光屈折部のある透過性導光板で挟み込んだ表示システムの透過性導光板の端面から光源の光を入射させる表示システム。
【請求項５】
畜光材を太陽光発電パネル表面と光屈折部のある透過性導光板で挟み込んだ表示システムの透過性導光板の端面から太陽光発電パネルからの電力で点灯する光源の光を入射させる表示システム。
【請求項６】
畜光材を太陽光発電パネル表面と光屈折部のある透過性導光板で挟み込んだ表示システムの透過性導光板の端面から太陽光発電パネルからの電力を蓄電装置に蓄電させた電力で点灯する光源の光を入射させる表示システム。
【請求項７】
畜光材を太陽光発電パネル表面と光屈折部のある透過性導光板で挟み込んだ表示システムの透過性導光板の端面から太陽光発電パネルからの電力をキャパシタに蓄電させた電力で点灯する光源の光を入射させる表示システム。
【考案の詳細な説明】
【技術分野】
【０００１】  本考案は省エネルギーに関わるもので、微弱な自然エネルギーの光を畜光材の効用により、有効に輝かせ、メンテナンスの少ない発光光源を得るものである。
【背景技術】
【０００２】  省エネ技術が発達する中で、それぞれの分野で技術は確実に進歩しているものの、それぞれが単独に性能を上げる事に重点が置かれている。照明機器は消費電力を少なくするものが多数開発され始めているが、看板や屋内照明等夜間に認識できる程度の照度で十分なものも多数あり、従来の省エネルギー技術だけでは無駄が十分に取り去られていない。その一方、電力を使わないで発光する、従来からあった夜光塗料と言われる、昼間の畜光を夜間に発光する材料は、開発が進んで来ているにも関わらず、発光機能が弱かったり、夜間の数時間を確実に発光し続ける事が出来なかったりする為に確実な夜間照明機能を満たす事が出来ず、特殊用途にしか利用されていない。また、注目を集めている省エネルギーの代表選手である、太陽光発電パネルも通常利用されている交流電源と比較すると、１枚当たりのエネルギー発生量は小さく、多数を合わせたり、バッテリー装置を付けたり、変換機を取付けたりと大きな手数が掛かっている。このような中で、確実な省エネルギーで必要最小限の機能を満たす発光システムの開発が求められている。
【考案の開示】
【考案が解決しようとする課題】
【０００３】  表示パネルや屋外看板、夜間照明はわずかな明るさしか必要としないにも関わらず、夜間確実に動作することが求められる為、電源装置等大掛かりなものを必要とすると同時に、大掛かりな装置はメンテナンスも大掛かりになり、設置に多大な費用が掛かっていた。また、昼間にも使う場合は周囲の明るさに負けない為にペイントで表示を書いたり、照明の照度を上げたりと、更なる重複投資を必要としている。本考案では、全く電気を使わない畜光材の畜光性質を利用して夜間等暗い場所で確実に最少必要照度を確保する発光システムを構築する。
【課題を解決するための手段】
【０００４】  本考案は、パネルの表面に畜光材で文字等を書いて、夜間に必要な最低照度および表示を確保する。なお、パネルは太陽光発電パネルや透過型太陽光発電パネルを利用すれば、昼間には発電ができ、パネルの裏側が視認できるため、安全性や環境にも良い。更に、夜間の畜光材の安定な発光を考えてこのパネルの上に透明な導光板を積層して、畜光材面に光を誘導する仕組みを作る。畜光材の照度が下がって来たら導光板端部から光を導入して、畜光材に光を当てる。なお、光を当てる時間はタイマー、照度計等で畜光材が光を畜光出来るタイミングになる様にセットする。また、導光板に導入する光の電源は太陽光発電パネルで昼間に発電したものを蓄電しておいて利用することも出来るし、その蓄電装置としてキャパシタを使えば、バッテリーと比較して長期にメンテナンスや交換を必要としない。
【考案の効果】
【０００５】  本考案により、光が十分にあり、視認性が十分に取れる昼間は通常の表示として透過性導光板の下のパネルに塗られた畜光材が働き、全く電力を消費することなくパネルに記入された情報が伝えられ、その一方、パネルに太陽電池を使った場合、光が当たって発電された電気は確実に蓄電装置に充電されて行く為、パネルを置いて、表示するだけで電気まで作ることができる。夜間及び曇天等、視認性が落ちて来ると、透過性導光板の下の畜光材の発光により、電気を使う事無く、透過性導光板を通して表示を見ることが出来る。畜光能力が弱まってきたら、透過性導光板の端部から紫外線領域を含む照明を入れて畜光材に光を当てて畜光させた後に照明を切る。なお、照明を入れるタイミングは畜光材の照度をセンサーで計測したり、タイマーで調節して、連続して電力は使わず畜光により省電力な表示が続行できる。なお、導光板端部から入れる照明電源は昼間に太陽光発電パネルから蓄電装置に蓄電した電気を使うことができるため、これら装置の組み合わせにより、太陽光発電パネルを使った表示システムは従来に無い大幅な省電力を達成できる。
【考案を実施するための最良の形態】
【０００６】  透過型太陽光発電パネル（１）に畜光材（２）で、表示文字を書く。その上に端部に照明（４）を付けた透明な導光板（３）を積層する。導光板（３）はレーザーカットや塗装等で光を屈折させて、光が畜光材に当たる様にする。透過型太陽光発電パネル（１）の発電した電力は逆流防止装置（５）を通して蓄電装置やキャパシタ（６）へ充電される。蓄電装置やキャパシタ（６）の電気は変換器（７）を通して、タイマー、照度計等（８）の制御によって照明（４）を点灯する。なお、これらの制御回路はプリント版や半導体回路により、コンパクトに証明装置に組み込みすることができる。
【図面の簡単な説明】
【図１】太陽光発電パネルに畜光材で文字を書いたところ
【図２】導光板に照明機器を付けたところ
【図３】太陽光発電パネルと導光板を合わせたところ
【符号の説明】    （１）透過型太陽光発電パネル
（２）畜光材
（３）導光板
（４）照明
（５）逆流防止装置
（６）蓄電装置
（７）変換器
（８）タイマー、照度計等制御機器
（９）光屈折部
【図１】
0003150233.tif 000003
【図２】
0003150233.tif 000004
【図３】
0003150233.tif 000005
(57)【要約】      （修正有）【課題】携帯電話を登山・海・災害地等電源のない所でも使用できるように、光があれば充電できる光源充電式携帯電話を提供する。【解決手段】携帯電話器本体の表面１と携帯電話器本体の裏面３に、それぞれ、表光受光パネル２及び裏光受光パネル４を設け、光があるところであれば、どこででも、携帯電話器本体のみで充電できるように構成する。【選択図】図１
0003150221.tif 000002
【実用新案登録請求の範囲】
【請求項１】
表・裏２面の光源充電式携帯電話
【考案の詳細な説明】
【技術分野】光源充電式携帯電話に関する。
【背景技術】携帯電話の所持率が急速に伸びてる中、使用できるバッテリー時間が短く通話が切れる心配があった。
【考案の開示】
【考案が解決しようとする課題】この様な心配を解決する為に品質の良い光充電式携帯電話を開発した。
【考案が解決するための手段】
光源で充電できる携帯電話を開発したい
【考案の効果】
光充電式にすれば登山・海・災害地など電源の無い所でも光が有れば使用が可能となる。
【実施例】説明すると図面参考して表裏両面１．２に充電器を設ける
この光充電式携帯電話を持参すれば登山・海・自然災害もしくは同時テロ情報で人命救助ができる
【産業上利用可能性】
専用充電器無で充電できる携帯電話で便利に使用出来る。
【図面の簡単な説明】
【図１】（イ）平面図  （ロ）表面正面図
【図２】背面図
【符号の説明】
１．本体表面
２．表光受光パネル
３．本体裏面
４．裏光受光パネル
【図１】
0003150221.tif 000003
【手続補正書】
【提出日】平成21年3月9日(2009.3.9)
【手続補正１】
【補正対象書類名】明細書
【補正対象項目名】全文
【補正方法】変更
【補正の内容】
【考案の詳細な説明】
【技術分野】
【０００１】
【背景技術】
【０００２】携帯電話の所有率が急速に伸びてる中、使用できるバッテリー時間が短く通話が切れる心配があった。
【考案の開示】
【考案が解決しょうとする課題】
【０００３】この様な心配を解決する為に品質の良い光充電式携帯電話を開発した。
【０００４】太陽光や照明灯の光を光源として充電できる携帯電話を開発したい
【考案の効果】
【０００５】このような光充電式にすれば登山・海・災害地など電源の無い所でも光が有れば使用が可能となる。
【実施例】
【０００６】説明すると図は携帯電話の表面１を示す、図２は携帯電話の表面３を示す。そしてこの携帯電話には表裏両面に大きく光受光パネル及び４を設けることとする。
なお、図示をしていないが表面１には当然のことで送信用のボタンが設けてある。
【産業上利用可能性】
【０００７】本考案は専用充電器無しで充電できる携帯電話で便利にできる。
【図面の簡単な説明】
【０００８】
【図１】表面図
【図２】裏面図
【符号の説明】
【０００９】１．本体表面
２．表光受光パネル
３．本体裏面
４．裏光受光パネル
【手続補正２】
【補正対象書類名】図面
【補正対象項目名】全図
【補正方法】変更
【補正の内容】
【図１】
0003150221.tif 000004
【図２】
0003150221.tif 000005
(57)【要約】【課題】住宅建築現場に絵図が破損し難い大型屋外広告板を設置し、しかも、大型であるにもかかわらず、移動が容易で再利用ができるほか、通行人等に癒しと安らぎを与えるような屋外広告板にする。【解決手段】大型屋外広告板の下地を垂木やトタンで頑丈に造り、これに富士山とその裾野に花畑を描写して通行人等の視覚に訴えて広告効果を高めるほか、大型広告板を三分割し、更に二つ折りの組立て式にするなどして、移動を容易にし、再利用を図ろうとするものである。【選択図】図１
0003150222.tif 000002
【実用新案登録請求の範囲】
【請求項１】
（１）垂木の枠組にトタン張りの大型看板に自然環境保護の絵図を描写、
（２）大型看板は、一枚が二つ折りの三枚連結の組立・移動式、
上記（１）（２）から構成されることを特徴とする住宅建築現場における屋外広告板。
【考案の詳細な説明】
【技術分野】
【０００１】住宅建築現場に設置する大型広告板に関する。
【背景技術】
【０００２】住宅建築現場に設置する屋外広告板は、建築現場が短期間で転々と変わることから、恒常的な大型広告板を設置することが出来なかったほか、仮に設置しても一時的な使用に止まり、再利用することが困難であった。
また、建設現場に絵図を描いた垂れ幕等を掲示しても強風等にさらされるため、破損が著しく短期間で使用不能になった。
【考案の開示】
【考案が解決しようとする課題】
【０００３】大型の屋外広告板を転々とする建築現場に移動が容易になることから、再利用が可能になるほか、広告板の絵図の破損を防ぎ、長期間利用できるようにすること。
【課題を解決するための手段】
【０００４】本考案は、（１）垂木の枠組にトタン張りの下地（高さ  ７．６メートル、幅  ３．６メートル）、（２）この下地の中央部８箇所に蝶番取り付け、二つ折りの折畳み式、（３）折畳み式の下地三枚を連結して組立てる大型看板、（４）大型看板（８２平方メートル）に同面積の絵図を貼付、（貼付後、絵図は下地三枚に切断）
これら（１）（２）（３）（４）から構成される大型屋外広告板である。なお、本考案では、広告板に富士山とその裾野に花畑の絵図を描写している。
【考案の効果】
【０００５】住宅建設現場の屋外広告が単なる垂れ幕的なものから、頑丈な下地に裏打ちすることによって、強風等による破損が皆無に等しくなったこと、また、大型広告板でありながら三分割できるほか、更に二つ折りできるため、運搬も容易になることから再利用も可能になるという効果がある。また、絵図によって建築現場の通行人等にも癒しと安らぎを与えるという効果がある。
【考案を実施するための最良の形態】
【０００６】本考案を実施例にて説明する。
【実施例】
【０００７】図１は、正面からのものであり、屋外広告板の大きさは、約８２平方メートルで、絵図は、トタン張りの下地の上部に富士山、下部に花畑を表現している。【０００８】図２は、広告板裏側からのものであり、垂木で枠組をし、その前面にトタン張りの下地三枚を連結した状態である。
下地三枚のうちの一枚は、高さ７，６メートル、幅３．６メートルで縦の中央部に蝶番八個付けて、これを軸にして前面に二つ折り出来るようになっている。
【符号の説明】
【０００９】１、  富士山と花畑の絵柄
２、  枠組の垂木
３、  下地のトタン
４、  蝶番
５、  連結部分
【図１】
0003150222.tif 000003
【図２】
0003150222.tif 000004
【手続補正書】
【提出日】平成21年3月3日(2009.3.3)
【手続補正２】
【補正対象書類名】明細書
【補正対象項目名】全文
【補正方法】変更
【補正の内容】
【考案の詳細な説明】
【技術分野】
【０００１】住宅建築現場に設置する大型広告板に関する。
【背景技術】
【０００２】住宅建築現場に設置する屋外広告板は、建築現場が短期間で転々と変わることから、恒常的な大型広告板を設置することが出来なかったほか、仮に設置しても一時的な使用に止まり、再利用することが困難であった。
また、建築現場に絵図を描いた垂れ幕等を掲示しても強風等にさらされるため、破損が著しく短期間で使用不能になった。
【考案の開示】
【考案が解決しようとする課題】
【０００３】大型の屋外広告板を転々とする建築現場に移動が容易になることから、再利用が可能になるほか、広告板の絵図の破損を防ぎ、長期間利用できるようにすること。
【課題を解決するための手段】
【０００４】本考案は、（１）垂木の枠組にトタン張りの下地（高さ  ７．６メートル、幅  ３．６メートル）、（２）この下地の中央部８箇所に蝶番を取り付け、二つ折りの折畳み式、（３）折畳み式の下地三枚を連結して組立てる大型看板、（４）大型看板（８２平方メートル）に同面積の絵図を貼付、（貼付後、絵図は下地三枚に切断）これら（１）（２）（３）（４）から構成される大型屋外広告板である。なお、本考案では、広告板に富士山とその裾野に花畑の絵図を描写している。
【考案の効果】
【０００５】住宅建築現場の屋外広告が単なる垂れ幕的なものから、頑丈な下地に裏打ちすることによって、強風等による破損が皆無に等しくなったこと、また、大型広告板でありながら三分割できるほか、更に二つ折りできるため、運搬も容易になることから再利用も可能になるという効果がある。
また、絵図によって建築現場の通行人等にも癒しと安らぎを与えるという効果がある。
【考案を実施するための最良の形態】
【０００６】本考案を実施例にて説明する。
【実施例】
【０００７】図１は、正面からのものであり、屋外広告板の大きさは、約８２平方メートルで、絵図は、トタン張りの下地の上部に富士山、下部に花畑を表現している。【０００８】図２は、広告板裏面からのものであり、垂木で枠組をし、その前面にトタン張りの下地三枚を連結した状態である。
下地三枚のうちの一枚は、高さ７．６メートル、幅３．６メートルで縦の中央部に蝶番八個付けて、これを軸にして前面に二つ折り出来るようになっている。
【図面の簡単な説明】
【０００９】
【図１】図１は、広告板の正面であり、垂木の枠組（２）にトタン張りの下地に富士山と花畑を描いた塩ビシートを貼付した絵図（１）である。
【図２】図２は、広告板の裏面であり、垂木（２）の枠組みに、トタン張り（３）の下地三枚を作り、それを連結（５）したものである。また、下地一枚についても、中央部に８個の蝶番（４）を付けて二つ折りに出来るようにしている。
【符号の説明】
【００１０】    １、  富士山と花畑の絵図
２、  枠組の垂木
３、  下地のトタン
４、  蝶番
５、  連結部分
(57)【要約】      （修正有）【課題】個人及び企業の好み、また記念となる絵及び広告、メッセージを含む絵画等、書、写真、他薄物等（紙ベース）の保護と身近に置いて観賞及び使用する、あるいは、広告宣伝等の目的のため広く配布するのに適したマットを提供する。【解決手段】個人及び企業の好み、また記念となる絵及び広告、メッセージを含む絵画等、書、写真、等で保護を要するものや、身近において鑑賞あるいは使用又は広告・宣伝のために配布を要するものなど薄物２を２枚のシート１によりラミネートして、例えばランチョンマットやデスクマットあるいは下敷等として利用するマットを構成する。【選択図】図１
0003150228.tif 000002
【実用新案登録請求の範囲】
【請求項１】
個人及び企業の好み、また記念となる絵及び広告、メッセージを含む絵画等、書、写真、他薄物等をラミネート加工することによって作られたランチョンマット。
【請求項２】
個人及び企業の好み、また記念となる絵及び広告、メッセージを含む絵画等、書、写真、他薄物等をラミネート加工することによって作られたデスクマット。
【請求項３】
個人及び企業の好み、また記念となる絵及び広告、メッセージを含む絵画等、書、写真、他薄物等をラミネート加工することによって作られた下敷き。
【考案の詳細な説明】
【技術分野】
【０００１】本考案は個人及び企業の好み、また記念となる絵及び広告、メッセージを含む絵画等、書、写真、他薄物等の保護をしつつ日常の生活で利用するよう作られたマット（ランチョンマット・デスクマット・下敷き等）に関するものである。
【背景技術】
【０００２】通常のマット（ランチョンマット・デスクマット・下敷き等）はメーカーのデザインによるものである。
【考案の概要開示】
【考案が解決しようとする課題】
個人及び企業の好み、また記念となる絵及び広告、メッセージを含む絵画等、書、写真、他薄物等（紙ベース）の保護と身近に置いて観賞及び使用するための方法。また広く配布するための方法。
【課題を解決するための手段】
ラミネート加工する。
【考案の効果】
個人及び企業の好み、また記念となる絵及び広告、メッセージを含む絵画等、書、写真、他薄物等をラミネート加工することによって作品の保護と日常使用と観賞とを可能にする夢のある商品となる。
【考案を実施するための最良の形態】ラミネート加工によるマット状の商品。
【実施例】・子供や孫の絵を下敷きやランチョンマットとして日常使用することのできる商品化。
・結婚式などで新婦等が描いた絵などをランチョンマットとして加工し披露宴にて使用し、また招待客に記念品のひとつとして持ち帰ってもらうことのできる商品とする。
・会社名等をいれることによって記念品、粗品としての商品化。
【産業上の利用可能性】・記念品としてのランチョンマット・デスクマット・下敷き等。
・イベント粗品としてのランチョンマット・デスクマット・下敷き等。
・インテリアとしてのランチョンマット・デスクマット・下敷き等。
【図面の簡単な説明】
【図１】ラミネート加工を示したランチョンマット・デスクマット・下敷き等の平面図。
【図２】ラミネート加工を示したランチョンマット・デスクマット・下敷き等の断面図。
【符号の説明】１  ラミネート部分
２  個人及び企業の好み、また記念となる絵及び広告、メッセージを含む絵画等、書、写真、他薄物等ラミネート加工できる厚さのもの。
【図１】
0003150228.tif 000003
【図２】
0003150228.tif 000004
(57)【要約】      （修正有）【課題】暗い場所での作業や移動の時に適した作業用安全ヘルメットを提供する。【解決手段】ライト１とヘルメット１０を一体化する事により安定し、その電源は太陽発電２と充電式電池３で補う。前方に可動式ＬＥＤ照明１を装備し上部全体に太陽電池２をバランスよく貼り付けて尚且つ太陽電池で発電した電力を充電する充電式電池３を装備する。【選択図】図１
0003150243.tif 000002
【実用新案登録請求の範囲】
【請求項１】
作業用安全ヘルメット前方にＬＥＤライトを装備して、その電源を供給するためにヘルメット本体に太陽電池と充電式電池を取り付けた照明器具一体式の作業用安全ヘルメット。
【考案の詳細な説明】
【技術分野】
【０００１】本考案は、作業用安全ヘルメットに関する。
【背景技術】
【０００２】従来のヘルメットでは、暗い場所での作業や移動の時には、市販のＬＥＤライト等をヘルメットに装着しなければならなかった。
【考案の開示】
【考案が解決しようとする課題】
【０００３】しかし、市販の照明器具のほとんどがゴムバンドで装着する為外れ易く尚且つヘルメットの安定も悪く、電池交換も頻繁にしなければならなかった。
【課題を解決する為の手段】
【０００４】そこで、ヘルメット本体にあらかじめ照明器具と太陽電池と充電式電池を組み込んだ特長の作業用ヘルメットを考案した。
【考案の効果】
【０００５】この考案により、照明器具が安定し、尚且つ太陽電池での充電により電池交換がほぼ不要になった。
【考案を実施するための最良の形態】
【０００６】本考案に係るヘルメット１０は、図１に示すように、前方に可動式ＬＥＤ照明１を装備し上部全体に太陽電池２をバランスよく貼り付けて尚且つ太陽電池で発電した電力を充電する充電式電池３を装備することが望ましい。
【図面の簡単な説明】
【０００７】
【図１】本考案に係る照明付き作業用ヘルメットの図面
【符号の説明】
【０００８】１ＬＥＤ照明器具
２太陽電池
３充電式電池
１０作業用ヘルメット
【図１】
0003150243.tif 000003
(57)【要約】 【課題】本考案は、予期できない天災時において、就寝中のような薄着状態の時など如何なる状態の時でも短時間に身体を完全防護できうる防災服を身近に常時用意しておくことで、単品としてヘルメット、防寒服、靴を装着するときの費やす時間を短くするようにした非常時用防災服を提供することを目的としている。【解決手段】保温効果や外傷から身を護れる組み立て式ヘルメットを付した布や合成ゴムを素材とした上着とズボン及び靴を面ファスナーで連結し、常時身辺に吊し置き、前部開口部から秒単位で装着し頭のてっぺんから足の爪先まで防護できうるように構成した。【選択図】図１
0003150291.tif 000002
【実用新案登録請求の範囲】
【請求項１】
布や合成ゴムを素材として、折り畳み式ヘルメットを付した上着とズボン及び靴を面ファスナーで連結し、常時身辺に吊し置き容易に装着しやすいように前部を開口したように構成されたことを特徴とする非常時用防災服。
【請求項２】
上記上着背中上部に縫いつけられた布や合成ゴムを素材とするフードに、強化樹脂や圧縮厚紙や金属を素材とする折り畳み式ヘルメットを収納するように構成したことを特徴とする請求項１に記載の非常時用防災服。
【考案の詳細な説明】
【技術分野】
【０００１】
本考案は、天災時、如何なる状態にある時にも秒単位で身に装着でき、身体の保温や外傷から身を護るように構成された防災服に関するものである。
【背景技術】
【０００２】
一般には単品としてヘルメット、防寒服、靴が用意されており、非常時短時間に完全装備できるものではなかった。
【先行技術文献】
【特許文献】
【０００３】
【特許文献１】特になし
【非特許文献１】特になし。
【考案の概要】
【考案が解決しようとする課題】
【０００４】
本考案は、上記の問題を解決するものであって、予期できない天災時において、就寝中のような薄着状態の時など如何なる状態の時でも短時間に身体を完全防護できうる防災服を身近に常時用意しておくことで、上記のような単品を装着する時の費やす時間を短くするようにした非常時用防災服を提供することを目的としている。
【課題を解決するための手段】
【０００５】
上記の目的を達成するための本考案の非常時用防災服は、組み立て式ヘルメットを付した保温効果や外傷から身を護れる布や合成ゴムを素材とした上着やズボン及び靴を面ファスナーで連結し、常時身辺に吊し置き、前部開口部から秒単位で装着し、頭のてっぺんから足の爪先まで防護できうるように構成した。
【考案の効果】
【０００６】
本考案の非常時用防災服は、如何なる時でも、特に、就寝中のような薄着状態の時でも秒単位で着用することで身体を護り、避難先でも恥ずかしい思いをすることもない。更に、上着、ズボン、靴の連結を面ファスナーを使用することで分離が可能となり生理現象等に対処でき、又、着用時の服装の状態に合わせて身体の丈、横幅の調整もできる。
【図面の簡単な説明】
【０００７】
【図１】本考案を適用した非常時用防災服を説明する第１実施例の全体正面図である。
【図２】本考案を適用した非常時用防災服の上着の正面図である。
【図３】本考案を適用した非常時用防災服のズボンの正面図である。
【図４】本考案を適用した非常時用防災服の靴の正面図である。
【図５】本考案を適用した非常時用防災服の折り畳み式ヘルメットを上着に付したことを説明する背面図である。
【図６】本考案を適用した非常時用防災服の折り畳み式ヘルメットを説明する斜視図である。
【考案を実施するための形態】
【０００８】
本考案は、天災に対処するため、頭のてっぺんから足の爪先まで防護できうる上着、ズボン、靴の一体化と、瞬時装着のための前部開口を面ファスナーを使用することで、秒単位で着用を完了できうる非常時用防災服が製造できる。
【実施例】
【０００９】
図１は、本考案に関する第１実施例の図であって、保温効果や外傷から身を護れる布や合成ゴムを素材として作成された上着１とズボン２及び靴３を連結用面ファスナーＲ♂，Ｒ♀で連結され、随時、前部開口部から素早く身体を滑り込ませられるように、洗濯バサミ等を利した吊し紐４で常時身辺に吊し置き、上着１とズボン２に付した装着用面ファスナーＳ♂，Ｓ♀でワンタッチに完全な防護服を装着できるように構成されているものである。
【００１０】
図２は、本考案に関する第１実施例の図の上着１の連結用面ファスナーＲ♂，Ｒ♀と装着用面ファスナーＳ♂，Ｓ♀を示すものであり、上着合わせ部５は横幅サイズを調整できうる用に大きくとってある。
【００１１】
図３は、本考案に関する第１実施例の図のズホン２の連結用面ファスナーＲ♂，Ｒ♀と装着用面ファスナーＳ♂，Ｓ♀を示すものであり、ズボン合わせ部６は横幅サイズを調整できうる用に大きくとってある。
【００１２】
図４は、本本考案に関する第１実施例の図の靴３の連結用面ファスナーＲ♂を示すものである。
【００１３】
図５は、本本考案に関する第１実施例の図の上着１の背中上部に折り畳み式ヘルメット本体７が縫いつけられている。
【００１４】
図６は、本考案に関する第１実施例の図の折り畳みヘルメット本体７は、上着１背中上部に縫いつけられた布や合成ゴムを素材とするフード７Ａの中に、強化樹脂や圧縮厚紙や金属を素材とする折り畳み式ヘルメット７Ｂを収納したものである。
【産業上の利用可能性】
【００１５】
本考案によって、人間にとって少なからず安心して生活できうるように世界の地震等の天災王国にも適用できうる。
【符号の説明】
【００１６】
１    上着
２    ズボン
３    靴
Ｒ♂  連結用面ファスナー
Ｒ♀  連結用面ファスナー
Ｓ♂  装着用面ファスナー
Ｓ♀  装着用面ファスナー
４    吊し紐
５    上着合わせ部
６    ズボン合わせ部
７    折り畳み式ヘルメット本体
７Ａ  フード
７Ｂ  折り畳み式ヘルメット    
【図１】
0003150291.tif 000003
【図２】
0003150291.tif 000004
【図３】
0003150291.tif 000005
【図４】
0003150291.tif 000006
【図５】
0003150291.tif 000007
【図６】
0003150291.tif 000008